(57)【要約】【課題】釣糸の表面滑り性に拘わらず、確実にリールに巻回されている釣糸を引き去ることのできる装置を提供する。【解決手段】駆動装置Ｍによって回転駆動され、外周に釣糸１０を巻回させる糸巻き部を有し、該糸巻き部は、中心部材１８と、該中心部材に対して糸巻き部の回転軸心方向に相対移動可能な外側部材１６とを具備し、該外側部材は、基部１６Ｊが弾性変形可能な弾性部であって、前記中心部材の外周部に対して前記基部の弾性変形により復元可能に糸巻き部の外径を拡径できる拡径部１６Ａを有しており、該拡径部と中心部材は、前記相対移動時に係合し合って拡径部に前記の拡径を生じさせる夫々の係合部１６Ｋ，１８Ｋを具備する。【選択図】図４
2010233457.tif 000002
【特許請求の範囲】
【請求項１】
駆動装置によって回転駆動され、外周に釣糸を巻回させる糸巻き部を有し、
該糸巻き部は、中心部材と、該中心部材に対して糸巻き部の回転軸心方向に相対移動可能な外側部材とを具備し、
該外側部材は、基部が弾性変形可能な弾性部であって、前記中心部材の外周部に対して前記基部の弾性変形により復元可能に糸巻き部の外径を拡径できる拡径部を有しており、
該拡径部と中心部材は、前記相対移動時に係合し合って拡径部に前記の拡径を生じさせる夫々の係合部を具備している
ことを特徴とする釣糸巻取り装置。
【請求項２】
駆動装置によって回転駆動され、外周に釣糸を巻回させる糸巻き部を有し、
該糸巻き部は、中心部材と、該中心部材の外周部に対して弾性部を変形させて復元可能に糸巻き部の外径を拡径できる拡径部を有する外側部材とを具備し、
前記拡径部の拡径状態を保持する拡径保持手段を具備する
ことを特徴とする釣糸巻取り装置。
【請求項３】
駆動装置によって回転駆動され、外周に釣糸を巻回させる糸巻き部を有し、弾性部を変形させて復元可能に糸巻き部の外径を拡径でき、その拡径状態を保持する拡径保持手段を具備することを特徴とする釣糸巻取り装置。
【発明の詳細な説明】
【技術分野】
【０００１】
本発明は、釣用リールに巻回されている釣糸を抜き取る巻取り装置に関する。
【背景技術】
【０００２】
従来から、釣用リールに巻回した釣糸を糸交換等のために巻き替えする際に、釣用糸引抜き機の名称等の装置が使用され、リールに巻回されている釣糸を人手で引っ張って抜き取るよりも早く行える。例えば下記特許文献１，２にそうした装置の開示がある。これらは、ケース内に設けたモータによってローラを回転させ、このローラで釣糸を挟み、その摩擦力を利用してリールのスプールに巻回された釣糸を引き抜いていた。
【特許文献１】米国特許第４６３５４０６号公報
【特許文献２】特開２００９−５５８４２号公報
【発明の開示】
【発明が解決しようとする課題】
【０００３】
然しながら、釣糸にはナイロン糸のような糸の表面滑り性が通常のものは問題はないが、ポリエチレンのマルチフィラメント糸のように表面の滑り性が高い糸はローラとの摩擦力が不足し、滑りを生じて糸抜き作業ができない場合が生じる。
依って解決しようとする課題は、釣糸の表面滑り性に拘わらず、確実にリールに巻回されている釣糸を引き去ることのできる装置を提供することである。
【課題を解決するための手段】
【０００４】
上記課題に鑑みて第１の発明は、駆動装置によって回転駆動され、外周に釣糸を巻回させる糸巻き部を有し、該糸巻き部は、中心部材と、該中心部材に対して糸巻き部の回転軸心方向に相対移動可能な外側部材とを具備し、該外側部材は、基部が弾性変形可能な弾性部であって、前記中心部材の外周部に対して前記基部の弾性変形により復元可能に糸巻き部の外径を拡径できる拡径部を有しており、該拡径部と中心部材は、前記相対移動時に係合し合って拡径部に前記の拡径を生じさせる夫々の係合部を具備していることを特徴とする釣糸巻取り装置を提供する。
【０００５】
第２の発明では、駆動装置によって回転駆動され、外周に釣糸を巻回させる糸巻き部を有し、該糸巻き部は、中心部材と、該中心部材の外周部に対して弾性部を変形させて復元可能に糸巻き部の外径を拡径できる拡径部を有する外側部材とを具備し、前記拡径部の拡径状態を保持する拡径保持手段を具備することを特徴とする釣糸巻取り装置を提供する。
【０００６】
第３の発明では、駆動装置によって回転駆動され、外周に釣糸を巻回させる糸巻き部を有し、弾性部を変形させて復元可能に糸巻き部の外径を拡径でき、その拡径状態を保持する拡径保持手段を具備することを特徴とする釣糸巻取り装置を提供する。
【発明の効果】
【０００７】
第１の発明では、外周に巻き取る方式故、糸の滑り性に関係なく巻き取れる。中心部材と外側部材とを糸巻き部の回転軸心方向に相対移動させれば、夫々の係合部を係合させつつ拡径部により糸巻き部外径を拡径させることができる。この拡径状態でリールの釣糸を糸巻き部に巻き取り、その後、中心部材と外側部材とを逆方向に相対移動させて拡径部を元の状態に復元させれば糸巻き部の外径が縮小する。その状態では、巻き取った釣糸を糸巻き部の先方に抜き去ることができる。
【０００８】
第２の発明では、外周に巻き取る方式故、糸の滑り性に関係なく巻き取れる。糸巻き部の外径を拡径部によって拡径させてその拡径状態を保持できるため、この拡径状態でリールの釣糸を糸巻き部に巻き取り、その後、拡径部を復元させて糸巻き部外径を縮小させると、巻き取った釣糸を糸巻き部の先方に抜き去ることができる。
第３の発明では、外周に巻き取る方式故、糸の滑り性に関係なく巻き取れる。弾性部の変形によって糸巻き部の外径を拡径でき、この状態を保持できるため、この拡径状態でリールの釣糸を糸巻き部に巻き取り、その後、拡径部を復元させて糸巻き部外径を縮小させると、巻き取った釣糸を糸巻き部の先方に抜き去ることができる。
【発明を実施するための最良の形態】
【０００９】
以下、本発明を添付図面を用いて更に詳細に説明する。図１は本発明に係る釣糸巻取り装置の使用状態図、図２は釣糸巻取り装置の縦断面図、図３はその上面図、図４は釣糸巻取り装置での巻取り時における縦断面図である。例えば円筒形のケーシング１２の中に、電池ＤとモータＭが配設されており、モータの回転軸Ｊがケーシングの長手方向先方に突出している。この回転軸に対して、中心部材１８と外側部材１６とを有して成る糸巻き部１５が取り付けられている。リールＲに巻回されている釣糸１０を、この例では、糸巻き部の中心部材のフランジ部１８Ｆに設けた糸留部ＫＴに係止させ、スイッチＳＷを押してモータＭを駆動して回転する糸巻き部の外周に自動的に巻き取る。
【００１０】
回転軸Ｊは外側部材１６の中心部に設けているボス部１６Ｂに挿入固定しており、このボス部は中心部材１８の中心部に回転軸延伸方向に延伸して設けているボス穴１８Ｂに挿入されている。ボス部はボス穴に対して相対移動可能である。中心部材の外周部には、この例では円周方向に等角度で４箇所の溝１８Ｍが設けられており、外側部材１６の下方部分であるフランジ部１６Ｆの上には、前記各溝に対応して４個の拡径部１６Ａが円周方向に配設されて立設し、通常時は各溝１８Ｍに収容されている。この通常状態において、中心部材と外側部材の拡径部とを合わせた糸巻き部の外周は、幾分かの先細形状に形成されている。これらの拡径部の基部１６Ｊは弾性変形が可能である。
【００１１】
中心部材１８のフランジ部１８Ｆには、前記拡径部に対応して４個の貫通孔１８Ｈが設けられている。一方、外側部材１６のフランジ部１６Ｆは中心部材のフランジ部１８Ｆの内側に配設されており、各拡径部１６Ａは各貫通孔を介してフランジ部１８Ｆの外側（上側）に突出している。通常時は図２に示すように、外側部材のフランジ部１６Ｆに対して、中心部材のフランジ部１８Ｆはその内側段差部１８Ｄを押し当てた位置、或いはこの近傍で相対位置が保持されている。中心部材１８には、各拡径部１６Ａに対応してその外周部に、先方に向かって拡径する傾斜部１８Ｋが形成されており、通常時の各拡径部１６Ａの、前記各傾斜部１８Ｋに対面する位置に対応傾斜部１６Ｋが形成されている。通常時はこの傾斜部同士が当接して中心部材と外側部材の相対位置が保持されている。
【００１２】
図２の通常状態の装置のケーシング１２を片手で保持しつつ、他方の手で中心部材のフランジ部１８Ｆを押し下げると、上記両傾斜部１８Ｋ，１６Ｋの作用によって、基部１６Ｊが弾性変形しつつ各拡径部１６Ａが径方向外に押し広げられる。やがて、フランジ部１８Ｆ，１６Ｆ同士が当接するか、或いは、拡径部が傾斜することによって、その内側下端部が中心部材に当たったりして拡径が停止する。両部材の摩擦力によってこの拡径状態が保持される（拡径保持手段）。
【００１３】
上記拡径状態では、糸巻き部の外周は基細形状になっている。この状態で釣糸１０を巻き取るべく、スイッチＳＷを押してモータＭを駆動して回転軸Ｊを回転させると、糸巻き部が回転する。こうして釣糸を巻き取り、その後、フランジ部１８Ｆを引き上げると、糸巻き部の外径が小さくなった元の図２の通常状態に戻る。従って、巻回した釣糸を簡単に抜き取り、廃棄等が可能となる。
【００１４】
本発明に係る釣糸巻取り装置の第２形態例を図５〜図８に示す。図５は通常時の釣糸巻取り装置の縦断面図、図６は図５の矢視線Ｆ−Ｆによる拡大横断面図、図７は釣糸巻取り装置での巻取り時における縦断面図、図８は図７の矢視線Ｈ−Ｈによる拡大横断面図である。主として第１形態例との相違を説明する。糸巻き部に相違があり、モータＭの回転軸Ｊは中心部材１８に固定されており、外側部材１６は、この例では４個の拡径部１６Ａをその主部材としており、各拡径部１６Ａは夫々の基部に通した枢軸１６Ｊを中心軸として回動可能である。
【００１５】
各枢軸１６Ｊは、その両端部が中心部材１８に取り付けられており、回転軸Ｊに直交する平面における弦の方向であって、中心部材の外周部に設けた各溝１８Ｍの中央を通る直径線に直交する弦方向に延伸している。従って、各拡径部１６Ａは中心部材（又は糸巻き部）の径方向に回動できる。また、各溝１８Ｍの側面には半球状等の凸部１８Ｔが設けられており、対応する拡径部の側面には凹部１６Ｔが設けられている。図５の通常時ではこの凸部と凹部は係合している。装置の使用に際して、指等で拡径部１６Ａの先部を径方向の外方向に押し、凸部と凹部の弾性変形によって凹凸係合を解除させると糸巻き部の外径が大きくなり、図７の釣糸巻取り状態となる。拡径部の下端が中心部材のフランジ部１８Ｆの上面に当接することで更なる拡径が規制され、拡径部が凸部１８Ｔに当たることで溝内への不用意な収納が規制され、図７の拡径状態が保持される。
【００１６】
図９は本発明に係る釣糸巻取り装置の第３形態例を示す部分断面の側面図、図１０は図９の矢視線Ｊ−Ｊによる横断面図、図１１は図１０と異なる状態の横断面図である。第１、第２の形態例と異なる事項を主に説明する。モータＭの回転軸Ｊの先部に、ゴム部材等の弾力性部材で作られ、側面視が台形状であり、横断面が概ね楕円形状の糸巻き部１５を固定している。この糸巻き部の先側領域には、回転軸の中心軸線を中心として図１０に示すような十字状や星状ともいえる穴１５Ｈを有する。図１０における左右方向（楕円形状の長軸方向）に延伸している穴部１５Ｈ’には、扁平な操作部材１９が嵌っている。しかし、この操作部材１９が嵌ってなくても、糸巻き部１５は図１０の形状寸法が通常状態である。穴１５Ｈにはこの穴部１５Ｈ’に直交する短軸方向に、該穴部１５Ｈ’よりも短い他の穴部１５Ｈ”が形成されている。
【００１７】
一方の手で糸巻き部１５を保持しつつ、他方の手で操作部材１９の外部の摘み部を摘まんで図９の矢印のように回動操作して９０度回動させると、操作部材が前記短軸方向の他の穴部１５Ｈ”に嵌り、糸巻き部１５の短軸長さを長軸の長さ程度に押し広げる。これが拡径した状態であり、この状態でリールの釣糸を巻き取った後、再び図１０の通常状態に戻せば、巻き取った釣糸を抜き去ることができる。
【００１８】
以上の何れの形態例でも、通常状態の糸巻き部は先細形状としているが、先細でなくてもよい。
【産業上の利用可能性】
【００１９】
本発明は、釣用リールに巻回されている釣糸を抜き取る装置に利用できる。
【図面の簡単な説明】
【００２０】
【図１】図１は本発明に係る釣糸巻取り装置の使用状態図である。
【図２】図２は図１の釣糸巻取り装置の通常時の縦断面図である。
【図３】図３は図２の装置の上面図である。
【図４】図４は図１の釣糸巻取り装置での巻取り時における縦断面図である。
【図５】図５は第２形態例の釣糸巻取り装置の通常時の縦断面図である。
【図６】図６は図５の矢視線Ｆ−Ｆによる拡大横断面図である。
【図７】図７は図５の釣糸巻取り装置での巻取り時における縦断面図である。
【図８】図８は図７の矢視線Ｈ−Ｈによる拡大横断面図である。
【図９】図９は本発明に係る第３形態例の釣糸巻取り装置を示す部分断面の側面図である。
【図１０】図１０は図９の矢視線Ｊ−Ｊによる横断面図である。
【図１１】図１１は図１０と異なる状態の横断面図である。
【符号の説明】
【００２１】
１０                              釣糸
１２                              ケーシング
１５                              糸巻き部
１６                              外側部材
１６Ａ                            拡径部
１６Ｊ                            拡径部の基部
１８                              中心部材
１８Ｍ                            溝
Ｊ                                モータの回転軸
【図１】
2010233457.tif 000003
【図２】
2010233457.tif 000004
【図３】
2010233457.tif 000005
【図４】
2010233457.tif 000006
【図５】
2010233457.tif 000007
【図６】
2010233457.tif 000008
【図７】
2010233457.tif 000009
【図８】
2010233457.tif 000010
【図９】
2010233457.tif 000011
【図１０】
2010233457.tif 000012
【図１１】
2010233457.tif 000013